(57)【要約】【課題】紙箱にゴミ箱機能を持たせることにより、生じるゴミを美しく処理できるとともに、組み立ても容易な包装箱を提供する【解決手段】包装箱１００は、側面２ｃの中央部を把持して上方に引き上げることにより、先ずミシン目８ｂが破断される。さらに引き上げると蓋部６が持ち上げられてミシン目８ａが破断され、ミシン目８ａの内側部分は蓋部６の裏面に貼着された状態で上面５から切り離され、上面５に開口１２が形成されて内容物の取り出しが可能となる。一方、ミシン目８ａの内側は、周囲三辺を接着された状態で蓋部６の裏面に残存して収納ポケット１３となる。【選択図】図２
2008087800.tif 000002
【特許請求の範囲】
【請求項１】
少なくとも一面に開口が形成される包装箱本体と、該包装箱本体の開口端の一辺に延設される開閉可能な蓋部と、を有し、
包装材で個別に包装された内容物を複数個収納する包装箱において、
前記蓋部の裏面に開封後の包装材を収納する収納部を設けたことを特徴とする包装箱。
【請求項２】
前記収納部は、一部に挿入口を有する収納ポケットであることを特徴とする請求項１に記載の包装箱。
【請求項３】
前記挿入口の端縁には、円弧状の切り欠きが形成されることを特徴とする請求項２に記載の包装箱。
【請求項４】
前記収納ポケットは、前記蓋部との間に隙間が形成されるようにエンボス加工されていることを特徴とする請求項２又は請求項３に記載の包装箱。
【請求項５】
前記収納部は、包装材を挟み込む収納スリットであることを特徴とする請求項１に記載の包装箱。
【請求項６】
前記包装箱は一枚板から組み立てられ、前記収納部は、組み立て前に前記包装箱本体又は前記蓋部と一体形成されていることを特徴とする請求項１乃至請求項５のいずれかに記載の包装箱。
【請求項７】
前記包装箱本体は、底面及び該底面の周縁から立ち上がる側面と、該側面の一部に連結され前記底面に対向配置される上面とを含む構成であり、前記収納部は、前記蓋部の開封により切り離された前記上面の一部を用いて形成されることを特徴とする請求項６に記載の包装箱。
【請求項８】
前記収納部は、前記蓋部の側端から突出する突出片を折り返して形成されることを特徴とする請求項６に記載の包装箱。
【発明の詳細な説明】
【技術分野】
【０００１】
本発明は、個別に包装されたチョコレートやガム、飴等を複数個収納して販売するための紙製の包装箱に関するものである。
【背景技術】
【０００２】
従来、一口で食べられるブロック型のチョコレートやガム、飴などの菓子は、包み紙や樹脂フィルム袋で個別に包装されたものを、紙箱内に複数個収納した状態で販売されている。そして、包み紙や樹脂フィルム袋自体、或いはガムの場合は食べ終わったものを包んだ包み紙からなるゴミは、近くにゴミ箱等の適当な捨て場所が見当たらない場合には、そのまま路上や床（駅の構内等）に捨てられたり或いはポケットに入れられたりすることが多い。特にガムの場合には、そのまま捨てられると道路や床、さらには靴の裏にくっ付いてしまい、簡単には取れない状態となり剥す作業が大変なものとなっている。また、ポケットに入れた場合には、後で捨て忘れてそのまま洗濯してしまい、衣類等を汚すことも発生している。また、元の紙箱内に入れると、まだ中身の残っている未開封のものと区別がつかなくなってしまう。
【０００３】
上記のような事態を防ぐために、従来、商品に別体のゴミ袋をセットすることが一部で行われている。しかし、上記のように別のゴミ袋を商品にセットすることはなかなか難しく、また開封後はゴミ袋をどこかに入れて持ち歩かなければならず、ともすると結局ゴミ扱いされて捨てられることになるという問題点があった。
【０００４】
そこで、個別に包装された菓子を収納する外箱にゴミを収納する部分を設ける方法が提案されており、例えば特許文献１には、角筒状の紙箱の一端に物を押し込む時のみ開口し、それ以外は閉鎖状態となる反動蓋部を設け、内部にはスライド可能な分離板を設けてゴミを収納可能とした菓子用紙箱が開示されている。また、紙箱にゴミ入れを設けた例としては、紙箱内を仕切り板で２室に分け、一方をゴミ収納用としたティッシュペーパー収納箱が開示されている。
【０００５】
しかしながら、特許文献１の方法では、一端から内容物を順次取り出す角筒状の紙箱には適用できるものの、例えば上面を開封して中身を取り出すタイプの紙箱には適用できず、菓子用紙箱全般に応用できるものではなかった。また、特許文献１〜３の構成では、紙箱本体とは別個に仕切り板を設ける必要があるため、組み立て作業性の低下や紙箱のコストアップに繋がるという問題点があった。
【特許文献１】特開平６−１３５４３６号公報
【特許文献２】特開昭５３−１１３６８１号公報
【特許文献３】実開平５−６１０８１号公報
【発明の開示】
【発明が解決しようとする課題】
【０００６】
本発明は上記問題点に鑑み、紙箱にゴミ箱機能を持たせることにより、生じるゴミを美しく処理できるとともに、組み立ても容易な包装箱を提供することを目的としている。
【課題を解決するための手段】
【０００７】
上記目的を達成するために本発明は、少なくとも一面に開口が形成される包装箱本体と、該包装箱本体の開口端の一辺に延設される開閉可能な蓋部と、を有し、包装材で個別に包装された内容物を複数個収納する包装箱において、前記蓋部の裏面に開封後の包装材を収納する収納部を設けたことを特徴としている。
【０００８】
また本発明は、上記構成の包装箱において、前記収納部は、一部に挿入口を有する収納ポケットであることを特徴としている。
【０００９】
また本発明は、上記構成の包装箱において、前記挿入口の端縁には、円弧状の切り欠きが形成されることを特徴としている。
【００１０】
また本発明は、上記構成の包装箱において、前記収納ポケットは、前記蓋部との間に隙間が形成されるようにエンボス加工されていることを特徴としている。
【００１１】
また本発明は、上記構成の包装箱において、前記収納部は、包装材を挟み込む収納スリットであることを特徴としている。
【００１２】
また本発明は、上記構成の包装箱において、前記包装箱は一枚板から組み立てられ、前記収納部は、組み立て前に前記包装箱本体又は前記蓋部と一体形成されていることを特徴としている。
【００１３】
また本発明は、上記構成の包装箱において、前記包装箱本体は、底面及び該底面から垂直に立ち上がる側面と、該側面の一部に連結され前記底面に対向配置される上面とを含む構成であり、前記収納部は、前記蓋部の開封により切り離された前記上面の一部を用いて形成されることを特徴としている。
【００１４】
また本発明は、上記構成の包装箱において、前記収納部は、前記蓋部の側端から突出する突出片を折り返して形成されることを特徴としている。
【発明の効果】
【００１５】
本発明の第１の構成によれば、蓋部の裏面に開封後の包装材を収納する収納部を設けることにより、内容物を個別に包装する包装材等を散逸することなく美しく処理することができ、包装箱と共に一度に廃棄できるため効率的である。また、包装箱を開封するまでは収納部が見えないため、包装箱の外観も損なわない。さらに、未開封及び開封済みの包装材が包装箱内部で混在しないため、未開封の内容物を容易に区別することができる。
【００１６】
また、本発明の第２の構成によれば、上記第１の構成の包装箱において、収納部として一部に挿入口を有する収納ポケットを設けることにより、収納部の構成が簡単なものとなる。
【００１７】
また、本発明の第３の構成によれば、上記第２の構成の包装箱において、収納ポケットの挿入口の端縁に円弧状の切り欠きを形成することにより、挿入口からの包装材の挿入が容易になる。
【００１８】
また、本発明の第４の構成によれば、上記第２又は第３の構成の包装箱において、収納ポケットにエンボス加工を施すことにより蓋部との間に隙間が形成されるため、包装材の収納が一層容易になる。
【００１９】
また、本発明の第５の構成によれば、上記第１の構成の包装箱において、収納部として包装材を挟み込む収納スリットを設けることにより、収納部の構成が簡単なものとなる。
【００２０】
また、本発明の第６の構成によれば、上記第１乃至第５のいずれかの構成の包装箱において、包装箱は一枚板から組み立てられ、収納部は、組み立て前に包装箱本体又は蓋部と一体形成されていることにより、収納部を設けるための部材を別途必要とせず、部品点数を削減できる。
【００２１】
また、本発明の第７の構成によれば、上記第６の構成の包装箱において、包装箱本体は、底面、側面、及び底面に対向配置される上面を含み、収納部は蓋部の開封により切り離された上面の一部を用いて形成されることにより、収納部を設ける工程が不要となって組み立て工程数を削減することができる。
【００２２】
また、本発明の第８の構成によれば、上記第６の構成の包装箱において、収納部は蓋部の側端から突出する突出片を折り返して形成されることにより、上面のないタイプの包装箱においても収納部を一体形成することができる。
【発明を実施するための最良の形態】
【００２３】
以下、図面を参照しながら本発明の実施形態について説明する。図１は、本発明の第１実施形態に係る包装箱の展開図であり、図２（ａ）、（ｂ）は、第１実施形態の包装箱の開封前及び開封後の状態を示す斜視図、図３は収納ポケットの断面図（図２（ｂ）のＡ−Ａ′断面）である。各図において共通する部分には同一の符号を付している。図１に示すように、包装箱１００は一枚の紙から打ち抜き加工された底面１、側面２ａ〜２ｃ及び３ａ〜３ｄ、上面５、及び蓋部６等から構成されている。
【００２４】
図１及び図２を用いて包装箱１００の組み立て手順について説明する。先ず、底面１の周縁に沿って側面２ａ、２ｂ及び３ａ、３ｂを垂直（図１の紙面表側）に折り曲げる。このとき、側面２ａ、２ｂに連なる舌片４ａも垂直に折り曲げて側面３ａ、３ｂの内側に重なるようにする。そして、底面１上に所定量の内容物（図示せず）を載置した後、側面２ｂに連なる上面５を底面１に対向するように垂直（図１の上方向）に折り曲げ、舌片４ｂを側面２ａの内側に接着するとともに、側面３ｃ、３ｄをそれぞれ側面３ａ、３ｂの外側に接着することにより、包装箱本体７を組み立てる。なお、側面３ｃ、３ｄ、及び舌片４ｂの接着部は記載を省略している。
【００２５】
そして、最後に上面５と蓋部６、及び側面２ｂと側面２ｃを接着して包装箱１００を封止する。このとき、蓋部６は、裏面に設けられたコ字状の接着部１１ａにより、上面５に重なったときミシン目８ａの内側に沿って接着される。また、側面２ｃは、ミシン目８ｂの外側二箇所に設けられた接着部１１ｂにより側面２ｂの外側に接着される。このようにして、図２（ａ）のような包装箱１００が組み立てられる。
【００２６】
内容物を取り出すときは、側面２ｂに接着されていない側面２ｃの中央部を把持して上方に引き上げることにより、先ずミシン目８ｂが破断される。さらに引き上げると蓋部６が持ち上げられてミシン目８ａが破断され、ミシン目８ａの内側部分は蓋部６の裏面に貼着された状態で上面５から切り離される。これにより、図２（ｂ）に示すように上面５に開口１２が形成されて内容物の取り出しが可能となる。また、内容物を所定量取り出した後は蓋部６で開口１２を覆い、ミシン目８ｂの破断により形成された差し込み片９を切り込み１０に差し込んで蓋部６を係止する。
【００２７】
一方、ミシン目８ａの内側は、周囲三辺を接着された状態で蓋部６の裏面に残存して収納ポケット１３となる。収納ポケット１３の挿入口１３ａの端縁は、包装材等のゴミの収納を容易にするために円弧状に切り欠かれており、図３に示すように、収納ポケット１３の接着部１１ａに囲まれた部分には、蓋部６との間に隙間Ｄが形成されている。この隙間Ｄは、図１のように包装箱１００を打ち抜き加工する際、ミシン目８ａの内側にエンボス加工を施すことにより形成される。
【００２８】
この収納ポケット１３に内容物を個別に包装する包装材等のゴミを収納することにより、包装材等を散逸することなく美しく処理することができ、内容物を全て取り出し開封した後、包装箱１００と共に一度に廃棄できるため効率的である。また、未開封の内容物と開封済みの包装材とが包装箱内部で混在しないため、未開封の内容物を容易に区別することができる。さらに、図２（ａ）のように収納ポケット１３は包装箱１００を開封する前は外から見えないため、デザイン的にも優れたものとなる。
【００２９】
また、収納ポケット１３は、開口１２を形成するために切り取られたミシン目８ａの内側部分で蓋部６の開封と同時に形成されるため、収納ポケット１３を別途装着する必要がなく部品点数や組み立て工程の削減にも寄与する。
【００３０】
なお、ここでは左右及び下端部が接着され、挿入口１３ａが上向きに形成された収納部１３としたが、例えば挿入口１３ａを横向きに形成しても良い。また、収納ポケット１３の左右若しくは上下のみを接着し、収納ポケット１３と蓋部６との間に包装材等のゴミを挟み込むようにしても良い。
【００３１】
図４は、本発明の第２実施形態に係る包装箱を開封した状態を示す斜視図である。第１実施形態と共通する部分には同一の符号を付している。本実施形態においては、包装箱１００の開封により上面５から切り離される部分を用いて、蓋部６の裏面に包装材を挟み込む収納スリット１５を設けている。なお、包装箱１００の展開図、開封前の状態、組み立て及び開封手順については第１実施形態と同様であるため説明は省略する。
【００３２】
図５は、第２実施形態の包装箱に形成される収納スリット１５の二本のスリット１７に包装材Ｓを挟み込んだ状態を示す拡大図である。スリット１７は、図１のように包装箱１００を打ち抜き加工する際にミシン目８ａの内側に形成される。なお、スリット１７は１本、或いは３本以上形成しても良いし、横方向のスリットに限らず縦方向や斜め方向に形成しても良い。
【００３３】
これにより、第１実施形態と同様に内容物を個別に包装する包装材等のゴミを美しく収納することができ、一度に廃棄できるため効率的である。また、未開封の内容物と開封済みの包装材とが包装箱内部で混在しないため、未開封の内容物を容易に区別することができる。さらに、第１実施形態と同様に収納スリット１５は開口１２の抜き部分で形成されるため効率的であり、蓋部６を閉鎖しておけば外から見えないため外観を損なうおそれもない。
【００３４】
図６は、本発明の第３実施形態に係る包装箱の展開図であり、図７は、第３実施形態の包装箱を開封した状態を示す斜視図である。第１及び第２実施形態と共通する部分には同一の符号を付して説明を省略する。図６及び図７を用いて本実施形態の包装箱１００の組み立て手順について説明する。
【００３５】
先ず、底面１に沿って側面２ａ、２ｂ及び３ａ、３ｂを垂直（図６の紙面表側）に折り曲げる。このとき、側面２ａ、２ｂに連なる舌片４ａも垂直に折り曲げて側面３ａ、３ｂの内側に重なるようにする。そして、側面３ａ、３ｂをそれぞれ舌片４ａの外側に接着することにより、包装箱本体７を組み立てる。
【００３６】
そして、包装箱本体７内に所定量の内容物（図示せず）を入れた後、蓋部６で開口１２を覆う。側面２ｃには、ミシン目８ｂの外側二箇所に接着部１１ｂが設けられており、接着部１１ｂにおいて側面２ｂと側面２ｃとを接着して包装箱１００を封止する。
【００３７】
内容物を取り出すときは、側面２ｂに接着されていない側面２ｃの中央部を把持して上方に引き上げることによりミシン目８ｂが破断され、蓋部６が開放されて内容物の取り出しが可能となる。また、内容物を所定量取り出した後は蓋部６で開口１２を覆い、ミシン目８ｂの破断により形成された差し込み片９を切り込み１０に差し込んで蓋部６を係止する。
【００３８】
本実施形態の包装箱１００には上面５がないため、図６に示すように収納ポケット１３が蓋部６の裏面に予め貼着されている。これにより、上面５のないタイプの包装箱においても第１、第２実施形態と同様の効果を得ることができる。なお、収納ポケット１３の開口端１３ａは円弧状に切り欠かれており、ゴミ等の挿入が容易になっている。また、第１実施形態と同様に収納ポケット１３にエンボス加工を施し、蓋部６との間に隙間を形成しておくことが好ましい。
【００３９】
また、収納ポケット１３を別部材として貼着する本実施形態の場合、図８（ａ）、（ｂ）に示すように、収納ポケット１３の側面に蛇腹（マチ）１３ｂを付けることもできる。この場合、挿入口１３ａを簡単に広げることができ、包装材の収納が一層容易になるとともに収納可能な包装材の量も多くなる。
【００４０】
図９は、本発明の第４実施形態に係る包装箱の展開図であり、図１０は、第４実施形態の包装箱を開封した状態を示す斜視図である。第１乃至第３実施形態と共通する部分には同一の符号を付して説明を省略する。本実施形態においては、上面５に予め開口１２が形成されており、蓋部６の側方に突出する突出片１９を蓋部６側（矢印Ｂ方向）に折り返し、接着部１１ｃにより突出片１９の下端部を蓋部６のヒンジ部近傍に接着することにより収納ポケット１３を形成している。なお、包装箱１００の開封前の状態、組み立て及び開封手順については第１及び第２実施形態と同様である。
【００４１】
これにより、第１実施形態と同様に収納ポケット１３を簡単に設けることができるため、包装材等のゴミを美しく収納することができ、包装箱１００と共に一度に廃棄できる。また、収納ポケット１３は蓋部６の裏面に形成されるため、第１〜第３実施形態と同様に包装箱１００の外観も良くなる。また、第３実施形態のように上面５のないタイプの包装箱１００にも別部材を用いることなく収納ポケット１３を形成することができる。
【００４２】
なお、ここでは突出片１９を蓋部６の左側に設けたが、右側に設けても良いし、左右両側に設けても良い。また、収納ポケット１３の大きさ及び形状についても、包装箱１００内に収納される内容物の個数や包装材の種類等に応じて適宜設定可能である。
【００４３】
その他本発明は、上記実施形態に限定されず、本発明の趣旨を逸脱しない範囲で種々の変更が可能である。例えば第１及び第２実施形態では、開口１２（ミシン目８ａ）の形状及び大きさを変更することにより、収納ポケット１３又は収納スリット１５の形状及び大きさを適宜変更可能である。また、第３実施形態或いは第４実施形態においても、収納ポケット１３に代えて第２実施形態のような収納スリット１５を設けても良い。第４実施形態の場合は突出片１９にスリットを形成しておけばよく、この場合は突出片１９と蓋部６との接着は必ずしも必要ではない。
【００４４】
また、包装箱本体の形状や大きさについても特に制限はなく、上述したような平直方体状のものに代えて、平面視多角形状や縦長状の包装箱にも適用することもできる。
【産業上の利用可能性】
【００４５】
本発明は、少なくとも一面に開口が形成される包装箱本体と、該包装箱本体の開口端の一辺に延設される開閉可能な蓋部と、を有し、包装材で個別に包装された内容物を複数個収納する包装箱において、蓋部の裏面に開封後の包装材を収納する収納部を設けたものである。
【００４６】
これにより、包装材等を散逸することなく美しく処理することができ、未開封及び開封済みの包装材が包装箱内部で混在しないため、内容物が個別に包装されている菓子等に好適な包装箱を簡易且つ低コストで提供することができる。収納部としては、構成の簡単な収納ポケットや収納スリットが好適である。
【００４７】
また、収納部は、組み立て前に包装箱本体又は蓋部と一体形成しておけば、収納部を設けるための部材を別途必要とせず、部品点数を削減できる。特に、蓋部の開封により切り離された上面の一部を用いて収納部を形成する場合、収納部を設ける工程が不要となって部品点数及び組み立て工程数の両方を削減可能となる。
【図面の簡単な説明】
【００４８】
【図１】は、本発明の第１実施形態に係る包装箱の展開図である。
【図２】は、第１実施形態の包装箱の開封前及び開封後の状態を示す斜視図である。
【図３】は、第１実施形態の包装箱に形成される収納ポケットの断面拡大図である。
【図４】は、本発明の第２実施形態に係る包装箱の斜視図である。
【図５】は、第２実施形態の包装箱に形成される収納スリットの拡大図である。
【図６】は、本発明の第３実施形態に係る包装箱の展開図である。
【図７】は、第３実施形態の包装箱を開封した状態を示す斜視図である。
【図８】は、第３実施形態の包装箱に用いられる収納ポケットの他の形状を示す正面図及び側面図である。
【図９】は、本発明の第４実施形態に係る包装箱の展開図である。
【図１０】は、第４実施形態の包装箱を開封した状態を示す斜視図である。
【符号の説明】
【００４９】
１                底面
２ａ〜２ｃ        側面（長辺側）
３ａ〜３ｄ        側面（短辺側）
５                上面
６                蓋部
７                包装箱本体
８ａ、８ｂ        ミシン目
９                差し込み片
１０              切り込み
１１ａ〜１１ｃ    接着部
１２              開口
１３              収納ポケット（収納部）
１３ａ            挿入口
１３ｂ            蛇腹
１５              収納スリット（収納部）
１７              スリット
１９              突出片
Ｄ                隙間
Ｓ                包装材
【図１】
2008087800.tif 000003
【図２】
2008087800.tif 000004
【図３】
2008087800.tif 000005
【図４】
2008087800.tif 000006
【図５】
2008087800.tif 000007
【図６】
2008087800.tif 000008
【図７】
2008087800.tif 000009
【図８】
2008087800.tif 000010
【図９】
2008087800.tif 000011
【図１０】
2008087800.tif 000012